(57)【要約】金属極および電解液を容易に交換することができ、繰り返し利用することができる発電器を提供することを目的とする。  本体３内に設けられて電解液の投入を受け入れる電解液槽３Ｂと、前記電解液槽３Ｂの内面側に設けられて内面が前記電解液に接触し外面が外気と接触する空気極４３と、前記電解液槽３Ｂの内側に配置されて前記電解液に浸漬させる金属７０と、前記金属極７０を長手方向の一端側で保持する装着操作部６０と、前記電解液槽の上部に着脱可能に取り付けられた頭部ユニット２とを備え、前記本体３は、前記金属極７０の挿通を許容して前記装着操作部６０と嵌合する開口部を有し、前記装着操作部６０は、前記金属極７０と通電して発電した電気を外部へ伝達許容する負極用通電端子６７を備え、前記頭部ユニット２または前記本体３に、前記通電端子に接続されて通電を許容する負極接点２３が設けられている発電器１。
2020149311.tif 000002
【特許請求の範囲】
【請求項１】
本体内に設けられて電解液の投入を受け入れる電解液槽と、
前記電解液槽の内面側に設けられて内面が前記電解液に接触し外面が外気と接触する空気極と、
前記電解液槽の内側に配置されて前記電解液に浸漬させる金属極と、
前記金属極を長手方向の一端側で保持する金属保持体と、
前記電解液槽の上部に着脱可能に取り付けられた頭部ユニットとを備え、
前記本体は、前記金属極の挿通を許容して前記金属保持体と嵌合する金属保持体嵌合開口部を有し、
前記金属保持体は、前記金属極と通電して発電した電気を外部へ伝達許容する通電端子を備え、
前記頭部ユニットまたは前記本体に、前記通電端子に接続されて通電を許容する通電部が設けられている
発電器。
【請求項２】
前記電解液槽は、前記電解液槽を２以上に分割する隔離壁を有し、
２以上の前記電解液槽は、金属保持体嵌合開口部と連通する電解液槽開口部を有し、
前記金属極は、２以上の前記電解液槽に満たされた前記電解液すべてに同時に浸漬するよう、前記電解液槽と同じ数設けられている
請求項１記載の発電器。
【請求項３】
電解液を投入した２以上の前記電解液槽は、それぞれ、前記空気極を正極、前記金属極を負極として機能させ、
前記正極および前記負極は、前記本体および前記頭部ユニットに設けられた回路に接続され、
前記回路は直列回路を構成する
請求項２記載の発電器。
【請求項４】
前記金属極は、前記隔離壁と対向する面に誘導溝を有し、
前記電解液槽は、前記誘導溝に当接する誘導体を内部に有し、
前記誘導体は、前記電解液槽の前記金属保持体嵌合開口部側から反対側に向かって、徐々に外側へ向かって突出する傾斜部を有し、
前記金属極は、前記金属極が前記電解液槽内へ挿入されて前記金属保持体が前記電解液槽に装着された状態で前記誘導溝が前記傾斜部に当接する構成である
請求項２または３記載の発電器
【請求項５】
前記傾斜部に当接する前記誘導溝の位置は、前記金属極における前記金属保持体とは反対側の端部もしくは端部近傍であり、
前記電解液槽は、内部における前記金属保持体嵌合開口部側に、前記電解液槽の前記金属保持体嵌合開口部側から反対側に向かって徐々に外側へ向かって突出する傾斜部を有する間隔保持体が設けられ、
前記間隔保持体は、前記金属保持体が前記電解液槽に装着された状態のときに、前記傾斜部の最も外側の端部が前記金属極の前記誘導溝に当接して前記金属極の間隔を規制する構成であり、
前記間隔保持体の前記端部と前記誘導体の前記傾斜部は、前記誘導溝の長さ方向に一直線に並ぶ位置に配置されている
請求項４記載の発電器
【請求項６】
前記電解液槽の底部に着脱可能に取り付けられた底蓋を備え、
前記底蓋が取り外されると前記電解液槽が開放される構成である
請求項１ないし５記載の発電器
【請求項７】
前記金属保持体は、前記金属保持体の内部を前記本体の長手方向に貫通し、両端に開口部を有する通気路を有し、
前記開口部の一端は前記電解液槽に連通し、他端は前記頭部ユニットに備えられた排気路に連通する
請求項１ないし６記載の発電器
【発明の詳細な説明】
【技術分野】
【０００１】
この発明は、電解液を入れて発電するような発電器に関する。
【背景技術】
【０００２】
従来、負極活物質としてマグネシウムなどの金属を利用し、正極活物質として酸素を利用して、これらを塩水に浸すことで発電することが知られている。【０００３】
このような発電を行うものとして、例えば、電解液注入後であっても連続する反応を中断できる機構を備えたものが提案されている。（特許文献１参照）【０００４】
しかし、上記特許文献１では、マグネシウム極や電解液の劣化が進むに伴って発電力が落ち、電力供給できる時間に限りがあるという問題があった。
【先行技術文献】
【特許文献】
【０００５】
【特許文献１】特開２０１５−２１０９１０号公報
【発明の概要】
【発明が解決しようとする課題】
【０００６】
この発明は、上述の問題に鑑みて、繰り返し利用することができる発電器を提供することを目的とする。
【課題を解決するための手段】
【０００７】
本発明は、本体内に設けられて電解液の投入を受け入れる電解液槽と、前記電解液槽の内面側に設けられて内面が前記電解液に接触し外面が外気と接触する空気極と、前記電解液槽の内側に配置されて前記電解液に浸漬させる金属極と、前記金属極を長手方向の一端側で保持する金属保持体と、前記電解液槽の上部に着脱可能に取り付けられた頭部ユニットとを備え、前記本体は、前記金属極の挿通を許容して前記金属保持体と嵌合する金属保持体嵌合開口部を有し、前記金属保持体は、前記前記金属極と通電して発電した電気を外部へ伝達許容する通電端子を備え、前記頭部ユニットまたは前記本体に、前記通電端子に接続されて通電を許容する通電部が設けられている発電器である。
【発明の効果】
【０００８】
本発明により、劣化した金属極および電解液を容易に取り出し、新しいものに取り換えることで繰り返し発電することが可能である。
【図面の簡単な説明】
【０００９】
【図１】発電器の正面図。
【図２】各部を取り外した状態の発電器の正面図。
【図３】各部を取り外した状態の発電器の右側面図。
【図４】平面視した交換用負極ユニットと本体の説明図。
【図５】内部部品を分解した状態の本体の正面図。
【図６】内部部品を分解した状態の本体の左側面図。
【図７】発電器の中央縦断右側面図。
【発明を実施するための形態】
【００１０】
以下、本発明の一実施形態を図面と共に説明する。
図１は、発電器１の正面図であり、図２は、各部を取り外した状態の発電器１の正面図であり、図３は、各部を取り外した状態の発電器１の右側面図であり、図４（Ａ）は頭部ユニット２と交換用負極ユニット６を外した本体３の平面図であり、図４（Ｂ）は交換用負極ユニット６の平面図であり、図４（Ｃ）は頭部ユニット２を外して本体３に交換用負極ユニット６をセットした状態の平面図である。
【００１１】
発電器１は、略円筒径の本体３と、本体３の一端に着脱可能に接続される頭部ユニット２と、本体３の他端に着脱可能に接続される底蓋８を有している。
【００１２】
図２に示すように、頭部ユニット２は、軸長さの短い略円柱形状であり、外周サイズが本体３の外周サイズと同一に形成されている。頭部ユニット２の円筒状の周面には、正面に指向性ライト１１が設けられ、背面にＵＳＢ接続口１８（図３参照）および接続口キャップ１９が設けられている。
【００１３】
頭部ユニット２の本体３側には、縮径した略円盤状の装着凸部２１が設けられている。装着凸部２１の外周には、正面に正極接点２１ａが設けられ、背面にも正極接点２１ｂが設けられている。また、装着凸部２１の外周には、４か所に固定溝２７が形成されている。この固定溝２７は、外周に形成された凹部であり、本体３側に開放された挿入口２７ｂと、外周方向の一方向へ長さのある係止溝２７ａとを有している。係止溝２７ａより本体３側には、係止用凸部２８が形成されている。また、装着凸部２１の外周には、ゴムリング２２が一周連続して設けられている。
【００１４】
固定溝２７は、図４（Ａ）に示す本体３の開口内に設けられている３つの係止突起３１ｃに対応して、中心に対して略正三角形の頂点に位置するように３か所に設けられている。この固定溝２７により、本体３の開口内に設けられている係止突起３１ｃが挿入口２７ｂから挿入され、頭部ユニット２が周方向へ回転されると係止突起３１ｃが係止溝２７ａにまで相対移動する。これによって、係止突起３１ｃが係止用凸部２８と係合し、頭部ユニット２が本体３に対して固定され、互いが簡単には外れない状態となる。
【００１５】
本体３は、頭部ユニット２側にある発光部３Ａと、それ以外の大部分を占める発電部３Ｃとを備えている。
【００１６】
発光部３Ａは、半透明で円筒形の光拡散体３０によって外周が形成されている。発光部３Ａの周面には、紐等を結ぶことができる紐装着部４が対向する２ヶ所（図示の例では左右）に設けられている。
【００１７】
また、発光部３Ａは、紐装着部４の下方位置に取っ手５の支持部５ｂが回転可能に軸支されている。この支持部５ｂは、挿入凸部５ａ（図２参照）が発光部３Ａの軸支孔３９（後述する図６参照）に回転可能に装着されて、回転の軸となる。取っ手５は、左右の支持部５ｂから下方へ一直線に下がる直線部５ｃと、この直線部５ｃの下端から平面視円弧状に本体３の正面側に凸となっている持ち手部５ｄを有している。これにより、取っ手５は、本体３の形状に沿って邪魔にならない収納状態（据え置き使用状態）と、持ち手部５ｄが上方になるように回動させた携行状態とに変化することができる。
【００１８】
発電部３Ｃは、不透明で円筒形の筐体３５によって外周が形成されている。筐体３５には、多数の孔３６が設けられている。この穴３６は、ハチの巣状に配置されており、正面の８割程度、および背面の８割程度に形成されている。正面および背面のいずれも、左右の側方の３〜４列は端へ向かって徐々に孔径が小さくなるデザインに形成されている。
【００１９】
また、本体３の内部には、交換用負極ユニット６が収納される。交換用負極ユニット６は、軸長さの短い略円柱形状の装着操作部６０（金属保持体）と、マグネシウムにより形成された円弧筒状の２つの金属極７０とを有している。
【００２０】
装着操作部６０は、上面中央に気体放出用凸部６２が設けられ、上面外周に平面視リング状のフランジ６３が形成されている。フランジ６３には、図４（Ｂ）に示すように３か所の凹部６３ａが設けられている。この凹部６３ａは、本体３内に交換用負極ユニット６を収納した際に、本体３の係止突起３１ｃと係合するように形成されている。
【００２１】
上面の気体放出用凸部６２とフランジ６３の間には、負極用通電端子６７，６７（図３参照）が前後に配置されている。
２つの金属極７０は、円弧筒状の内側を対向させて、平面視すると円に沿うように配置されている。２つの金属極７０の長さは、本体３に交換用負極ユニット６を装着した際に、装着操作部６０と反対側の端部が本体３内の底に近接若しくは当接する長さに形成されている。
【００２２】
また、金属極７０は、いずれも内側に誘導溝７１（図７参照）が設けられている。この誘導溝７１は、円弧柱形状の金属極７０の上方から下方まで、金属極７０の内側に縦一直線に形成されている。この誘導溝７１は、間隔保持部材４５（間隔保持体）の最も外側の端部４５ｂが誘導溝７１の一部に当接し、また誘導溝７１の別の一部に、姿勢維持突起４８（誘導体）の斜面４８ａ（特に急斜面４８ｃ）が当接する。これは、間隔保持部材４５の最も外側の部位と姿勢維持突起４８の斜面が縦一直線（電解液槽３Ｂの深さ方向に一直線）に配置されていることにより実現される。すなわち、２つの間隔保持部材４５（間隔保持体）の最も外側の部位同士の間隔は、２つの金属極７０の誘導溝７１同士の適切な間隔と同一であり、姿勢維持突起４８の斜面の外側端部同士の間隔は、２つの金属極７０の誘導溝７１同士の適切な間隔と同一かそれよりも長く構成されている。したがって、この金属極７０は、各部位について空気極４３との距離が一定となるように安定して固定されている。これにより、金属極７０と空気極４３は互いに平行となり、どの部位であっても金属極７０と空気極４３の間の間隔（距離）が等距離である状態を維持することができる。  
底蓋８は、封止ゴム８Aと外装底蓋８Bとで構成されている。
【００２３】
図５は、内部部品を分解した状態の本体３の正面図であり、図６は、内部部品を分解した状態の本体３の左側面図である。
【００２４】
本体３の内部には、縦長の略円筒形で上下両端が開口している電解液槽３Ｂが収納されている。この電解液槽３Ｂは、頭部ユニット２（図２参照）を装着した際に正極接点２１ａ（図２参照）が当接する位置に正極接点３１ａが設けられている。同様に、頭部ユニット２（図２参照）を装着した際に背面に正極接点２１ｂが当接する位置に正極接点３１ａと同一形状の負極接点（図示省略）が設けられている。
【００２５】
電解液槽３Ｂの正面および背面には、空気極装着枠４６ａが対象に設けられている。この空気極装着枠４６ａは、正面視すると縦長で中空の略長方形の枠で、平面視すると円弧状の形状をしている。この空気極装着枠４６ａに、空気極ユニット４１の外枠が接着剤により隙間なく接着される。空気極装着枠４６ａの内側が空洞であるから、電解液槽３Ｂに電解液（塩水もしくは塩と水など）を貯留すると、その電解液が空気極ユニット４１の空気極４３の内面に接触する構成となる。
【００２６】
なお、空気極装着枠４６ａには幅方向中央に上下へ長い補強体４６ｂが設けられている。この補強体４６ｂは棒状であり、空気極ユニット４１には通常接触しない位置に配置されている。この空気極装着枠４６ａと補強体４６ｂにより、空気極４３の外周部を接着して固定すると共に電解液に空気極４３の内面を接触させる空気極装着部４６が構成されている。
【００２７】
空気極ユニット４１は、枠体４２とカーボン素材である空気極４３により形成されている。空気極４３は正面視が四角形で平面視が円弧状の円弧筒形状をしており、枠体４２は、外枠４２ａが空気極４３と同様の円弧筒形状で、内側に空気極４３を固定するアーム部４２ｂが設けられている。これにより、空気極４３をしっかり固定しつつ、外気が空気極４３の外面に接触し、内側の電解液が空気極４３の内面に接触するように構成されている。
【００２８】
図７は、発電器１の中央縦断右側面図（図１におけるＡ−Ａ矢視断面図）である。  
頭部ユニット２の中心位置には、上下に長く内部中空のガス抜き部１５が設けられている。このガス抜き部１５は略円筒形であり、軸方向である上下方向にガス通路１４が設けられている。また、ガス抜き部１５の底面の外周には、ガス抜き部２５とガス漏れがしないように当接するリング状の当接凸部１６が形成されている。ガス抜き部１５の上部には、ガス通路１４を塞ぐカバー１３が設けられている。このカバー１３は、下方の突起部分がガス抜き部１５のガス通路１４に一部入り込んでガス漏れや液漏れが生じないようにする閉鎖状態と、ガス通路１４から抜け出てガス漏れ可能な状態にする解放状態とに切り替えることができる。これにより、移動中はカバー１３で栓をしてガス漏れも液漏れも生じない状態とし、発電器１を地面等に載置した場合にはカバー１３を取って開放し、ガス漏れが可能な状態として良好な電力を得ることができる。
【００２９】
頭部ユニット２の装着凸部２１部分には、軸方向が上下方向である円筒形のガス抜き部２５を有し、ガス抜き部２５の内部にガス通路２４（排気路）が設けられている。ガス抜き部２５の上面は、中央に小さな孔が形成された天板状であり、その孔の周囲を囲むＯリング２４ａが設けられている。このＯリング２４ａに頭部ユニット２の当接凸部１６が当接することでガス漏れや液漏れを発生させることなくガスを搬送可能にしている。
【００３０】
装着凸部２１の周面には、正極接点２１ａ，２１ｂが設けられている。この正極接点２１ａ，２１ｂは、電解液槽３Ｂの上方部位の内面にある正極接点３１ａ，３１ｂに当接し、通電を許容する。装着凸部２１の内部には図示省略する回路が設けられており、２つの正極接点２１，２１ｂおよび２つの負極接点３１ａ，３１ｂが直列接続されており、この直列接続された電力が指向性ライト１１、発光体３４、およびＵＳＢ接続口１８に供給される。
【００３１】
装着凸部２１の底部には、負極接点２３（通電部）が２ヶ所に前後対象に設けられている。この負極接点２３は、交換用負極ユニット６の接点突起６７が挿入されて当接し電気的に接続される構成となっている。
【００３２】
交換用負極ユニット６は、中央上部に軸方向が上下方向となる円筒径のガス抜き部６５が形成されている。このガス抜き部６５の上面６２には小さな孔６４（通気路）が形成され、その周囲にＯリング６１が設けられている。これにより、ガス抜き部２５の下端がＯリング６１に接触し、ガス漏れや液漏れを防止することができる。
【００３３】
交換用負極ユニット６の上面にはフランジ６３が設けられており、このフランジ６３よりも下方に負極支持部材６６が設けられている。この負極支持部材６６には、接点突起６７が固定されている。この接点突起６７は上方だけでなく下方にも伸びており、この下方の部分６７に金属極７０がネジ６８によってねじ止めされている。
【００３４】
電解液槽３Ｂは、径が最も小さくなっている小径部３３が上方に設けられており、そのさらに上方に頭部ユニット結合開口部３１（金属保持体嵌合開口部）が設けられている。頭部ユニット結合開口部３１は、内径が頭部ユニット２の装着凸部２１の外周サイズよりわずかに大きく構成されている。頭部ユニット結合開口部３１の底面の外周付近で小径部３３の上方位置には、ゴム材料によりリング状に形成されたパッキン３２が設けられている。このパッキン３２に頭部ユニット２の下面が隙間なく当接する。これにより電解液槽３Ｂ内の電解液が外へ漏れ出ることを防止できる。なお、小径部３３の内側の開口は、電解液貯留空間４７ａ，４７ｂへつながる電解液槽開口部としても機能する。
【００３５】
封止ゴム８Aは、略円盤形状をしており、発電部３Ｃ側の片面に、電解液槽３Ｂの内面底の形状に合わせて一定高さだけ凸となる突出部８６と、外周付近で凸となって電解液槽３Ｂの底部に設けられた係止溝５８に嵌合する係止凸部８５とを備えている。これにより、封止ゴム８Aは、電解液槽３Ｂの底に装着され、電解液槽３Ｂ内の電解液がそこから漏れないように封止できる。
【００３６】
外装底蓋８Bは、円盤状の底部８３と、底部８３の外周で発電部３Ｃ側へ一定高さだけ凸となった装着凸リング８１とを有している。装着凸リング８１は、端部に内側へ突出する係合突起８１ａが設けられている。この係合突起８１ａが電解液槽３Ｂの底部外周に設けられた係合溝５６に係合することで、外装底蓋８Bが電解液槽３Ｂに対して固定される。
【００３７】
また、頭部ユニット結合開口部３１と装着凸部２１の間は、装着凸部２１の外周に設けられたゴムリング２２によって密閉される。そして、正極接点３１ａ，３１ｂは、ゴムリング２２とパッキン３２の間の密閉空間内に設けられているため、電解液槽３Ｂ内の電解液や外部の水分が正極接点３１ａ，３１ｂに到達することを防止でき、正極接点３１ａ，３１ｂを水分による酸化から防止できる。
【００３８】
頭部ユニット結合開口部３１の外周には、適宜の間隔で複数の発光体３４が配置されている。この発光体３４は、例えばＬＥＤ照明により構成することができ、外側にある光拡散体３０へ向かって光を照射する。これにより、リング状の光拡散体３０の内側にある発光体３４からの光を光拡散体３０によって拡散し、周囲を照らすことができる。したがって、この光を用いて発電器１をランタンやランプのように利用することができる。
【００３９】
また、発電部３Ｃは、内部に中空の電解液貯留空間４７ａ，４７ｂが設けられている。この電解液貯留空間頭部ユニット２は、略円柱形の形状であり、側面視中央部分で上下に長い板状の仕切り４７（隔離壁）によってほぼ完全に分離されている。したがって、略半円柱形状の空間となる２つの電解液貯留空間４７ａ，４７ｂが構成される。また、仕切り４７の下方には、仕切り４７の平面と直交する方向へ突出する略三角形の板状の姿勢維持突起４８が前後に対象に設けられている。この姿勢維持突起４８は、上方へ行くほど突出幅が狭くなる傾斜形状に形成され、上方側の緩斜面４８ａと下方側の急斜面４８ｂを有している。これにより、緩斜面４８ａにて金属極７０を十分に広げ、急斜面４８ｂによって金属７０の端部の位置が多少上下しても金属極７０と空気極４３との間隔の誤差が小さく抑えられる構成となっている。仕切り４７を中心として左右対称に形成されている。したがって、上から交換用負極ユニット６がセットされると、金属極７０の下端の誘導溝（図示省略）が間隔保持部材４７に当接して位置決めされ、使用時間の経過とともに金属極７０が位置変形することを防止できる。
【００４０】
また、仕切り４７の上方にも、間隔保持部材４７と同様に金属極７０間の間隔を調節する間隔保持部材４５が設けられている。この間隔保持部材４５は、略三角形の板状であり、上方部位から下方へ行くに従って中心から外側へ広がる羽状に形成されている。この下方へ行くほど外側へ広がる傾斜部４５ａは、上方から下方へ挿入される交換用負極ユニット６の金属極７０を、凹部７１に当接して押し広げ、２つの金属極７０の間隔を一定距離に安定させる。また、間隔保持部材４５の最も外側にある端部は、湾曲して形成されているこれにより、下方へ挿入されている金属極７０との接触面積を小さくして摩擦力の発生をできるだけ抑制し、かつ、挿入されていく金属極７０に端部が削り取られることを防止している。
【００４１】
この間隔保持部材４５によって２つの金属極７０の間の距離が一定に保たれるため、金属極７０の先端（下端）が間隔保持部材４７の傾斜面に当接して当該急斜面を削りながら挿入されるといったことを防止できる。これにより、急斜面が削れてしまい次の金属極７０を交換用に挿入することが容易ではなくなるとった問題に対して、金属極７０の間の間隔を間隔保持部材４７で保つことで、金属極７０が間隔保持部材４７の傾斜面を切削すると考えられ,
発電部３Ｃの下部には、平面視リング状の底枠５６が設けられており、その内側に仕切り４７の底部が移動しないように固定する下方固定部４９が設けられている。
【００４２】
以上の構成により、繰り返し利用することができる発電器１を提供することができる。  
すなわち、発電器１の交換用負極ユニット６は、頭部ユニット２を取り外すことで内部から取り出すことができる。したがって、交換用負極ユニット６の金属極７０が解けて発電できない状態（若しくは発電力が弱くなった状態）になれば、交換用負極ユニット６を取り出して新しいものと交換することができる。
【００４３】
しかも、底蓋８を取り外せるため、電解液貯留空間４７ａ，４７ｂを、頭部ユニット２と底蓋８を取り外した状態で、溶けたマグネシウム等の金属を一方から流水で他方へ洗い流すことができ、便利に使いまわしできる。
【００４４】
また、頭部ユニット２を装着する際、係止突起３１ｃが係止溝２７ａにはまり込むため、容易かつ確実に装着することができる。
【００４５】
また、姿勢維持突起４８が金属極７０の端部の位置を規制するため、金属極７０が空気極４３に対して略平行である状態を容易に作り出して維持することができる。これにより、安定した発電力を得ることができる。
【００４６】
また、交換用負極ユニット６に接点突起６７が設けられ、頭部ユニット２に負極接点２３が設けられているため、交換用負極ユニット６と頭部ユニット２を容易に接続して通電可能状態とすることができる。
【００４７】
また、電解液貯留空間４７ａ，４７ｂが間隔保持部材４５によって２つに分離され、かつ、正極接点３１，３１ｂが、正極接点２１ａ，２１ｂと接触して通電する構成であるため、２つの電解槽で直列接続してスーマートフォンの充電等に十分な電力を発電することができる。
また、発電器１は、電力を供給する電池としても利用することができる。
【００４８】
なお、この発明の発電器は、実施形態の発電器1に対応し、
以下同様に、
上部ユニットは、頭部ユニット２に対応し、
本体は、本体３に対応し、
電解液槽は、電解液槽３Ｂに対応し、
底蓋は、底蓋８に対応し、
通電部は、負極接点２３に対応し、
排気路は、ガス通路２４に対応し、
金属保持体嵌合開口部は、頭部ユニット結合開口部３１に対応し、
電解液槽開口部は、小径部３３の開口に対応し、
空気極は、空気極４３に対応し、
隔離壁は、仕切り４７に対応し、
金属保持体は、装着操作部６０に対応し、
開口部は、孔６４に対応し、
通電端子は、負極用通電端子６７に対応し、
金属極は、金属極７０に対応するが、
この発明は、この対応に限らず、様々な実施形態を得ることができる。
【産業上の利用可能性】
【００４９】
この発明は、災害後の地域での使用等にあせて簡易な発電器を提供するような適宜の産業で利用することができる。
【符号の説明】
【００５０】
１…発電器
２…頭部ユニット
３…本体
３Ｂ…電解液槽
８…底蓋
２３…負極接点
２４…ガス通路
３１…頭部ユニット結合開口部
３３…小径部
４３…空気極
４７…仕切り
６０…装着操作部
６４…孔
６７…負極用通電端子
７０…金属極
【図１】
2020149311.tif 000003
【図２】
2020149311.tif 000004
【図３】
2020149311.tif 000005
【図４】
2020149311.tif 000006
【図５】
2020149311.tif 000007
【図６】
2020149311.tif 000008
【図７】
2020149311.tif 000009
【国際調査報告】
2020149311.tif 000010
2020149311.tif 000011
2020149311.tif 000012
2020149311.tif 000013